(57)【要約】【課題】現在使用しているメータから、別のメータへ交換する場合に、現在使用しているメータから別のメータへ自動的に必要なデータを引き継ぐとともに、引継ぎ完了後に直ちに別のメータによって計量対象物の供給を受けることができるようにすること。【解決手段】本発明は、供給側から需要側に供給される計量対象物の物理量を計量する計量部を備えたメータ３０である。このメータ３０は、メータ固有の設定値、及び計量部によって計量された計量値が書き込まれる内部記憶装置と、内部記憶装置に書き込まれている設定値及び計量値を、外部記憶装置２１に書き込むための無線通信部６とを備えている。【選択図】      図５
2006250807.tif 000002
【特許請求の範囲】
【請求項１】
供給側から需要側に供給される計量対象物の物理量を計量する計量手段を備えたメータであって、
メータ固有の設定値と、前記計量手段によって計量された計量値とが書き込まれる内部記憶装置と、
前記内部記憶装置に書き込まれている設定値及び計量値を、外部記憶装置に書き込むための第１の書込手段と
を備えたメータ。
【請求項２】
請求項１に記載のメータにおいて、
前記外部記憶装置に書き込まれた設定値及び計量値を、前記内部記憶装置に移動させて書き込むための第２の書込手段と、
前記第２の書込手段によって前記設定値及び計量値が前記内部記憶装置に移動されて書き込まれると、前記供給側から前記需要側へと計量対象物が供給されるようにする供給制御手段と
を備えたメータ。
【請求項３】
供給側から需要側に供給される計量対象物の物理量を計量するメータを、現在使用している第１のメータから、新たに使用する第２のメータへ交換する場合におけるデータの引継ぎ方法であって、
前記第１及び第２のメータはそれぞれ、
前記供給側から需要側に供給される計量対象物の物理量を計量する計量手段と、
メータ固有の設定値と、前記計量手段によって計量された計量値とが書き込まれる内部記憶装置と、
前記内部記憶装置に書き込まれている設定値及び計量値を、外部記憶装置に書き込むための第１の書込手段と、
前記外部記憶装置に書き込まれた設定値及び計量値を、前記内部記憶装置に移動させて書き込むための第２の書込手段と、
前記第２の書込手段によって前記設定値及び計量値が前記内部記憶装置に移動されて書き込まれると、前記供給側から前記需要側へと計量対象物が供給されるようにする供給制御手段とを備え、
前記第１のメータから前記第２のメータへ交換する場合には、前記第１のメータの内部記憶装置に書き込まれた設定値及び計量値を、前記第１のメータの第１の書込手段によって前記外部記憶装置に書き込み、しかる後に、前記第２のメータの第２の書込手段によって、前記外部記憶装置に書き込まれた設定値及び計量値を、前記第２のメータの内部記憶装置に移動させて書き込み、これによって、前記第２のメータの供給制御手段によって、前記供給側から前記需要側へと計量対象物が供給されるようにしたデータの引継ぎ方法。
【発明の詳細な説明】
【技術分野】
【０００１】
本発明は、例えば電力、ガス、水道等の計量対象物が供給された物理量を計量するメータに関し、更に詳しくは、メータを、現在使用しているメータから、別のメータへ交換する場合においてもデータの継続性を損なわないメータ、及びデータの引継ぎ方法に関する。
【背景技術】
【０００２】
従来、電気、ガス、水道などが、電力会社、ガス会社、水道局などの供給者（事業者）から、企業や一般等の需要家に対して供給される供給物の供給量は、需要家に設けられ、計量機能を備えた電力メータ、ガスメータ、水道メータ等のメータによって管理されている。
【０００３】
この種のメータでは、メータの交換、又は需要家の転居等に伴って使用メータを変更する場合には、交換時又は転居時の計量値が、作業員によって転記されることによって使用開始計量値が登録されている。
【０００４】
また、メータの使用開始、及び停止の際には、需要家は供給者に対して、その旨を連絡しなければならないことになっている。供給者は、この連絡に基づいて、使用が終了したメータが備えられた需要家への供給物の供給の停止や、新たなメータが設定された場所への供給物の供給を開始している。
【特許文献１】特願２００３−２２８６１８号公報
【発明の開示】
【発明が解決しようとする課題】
【０００５】
しかしながら、このように、メータの交換、又は需要家の転居等に伴って使用メータを変更する場合には、以下のような問題がある。
【０００６】
すなわち、交換時又は転居時の計量値が、作業員によって転記されることによって使用開始計量値が登録されているので、誤記入、記入漏れ等が発生する恐れがあるという問題がある。
【０００７】
また、メータの使用開始、及び停止の際には、需要家は供給者に対して、その旨を連絡しなければならず、面倒であるのに加え、うっかり忘れてしまう恐れがあるという問題がある。
【０００８】
本発明はこのような事情に鑑みてなされたものであり、現在使用しているメータから、別のメータへ交換する場合に、現在使用しているメータから別のメータへ自動的に必要なデータを引き継ぐとともに、引継ぎ完了後に直ちに別のメータによって計量対象物の供給を受けることができるデータの継続性を損なわないメータ、及びメータ交換時におけるデータの引継ぎ方法を提供することを目的とする。
【課題を解決するための手段】
【０００９】
上記の目的を達成するために、本発明では、以下のような手段を講じる。
【００１０】
すなわち、請求項１の発明は、供給側から需要側に供給される計量対象物の物理量を計量する計量手段を備えたメータである。このメータは、メータ固有の設定値、及び計量手段によって計量された計量値が書き込まれる内部記憶装置と、内部記憶装置に書き込まれている設定値及び計量値を、外部記憶装置に書き込むための第１の書込手段とを備えている。
【００１１】
請求項２の発明は、請求項１の発明のメータにおいて、外部記憶装置に書き込まれた設定値及び計量値を、内部記憶装置に移動させて書き込むための第２の書込手段と、第２の書込手段によって設定値及び計量値が内部記憶装置に移動されて書き込まれると、供給側から需要側へと計量対象物が供給されるようにする供給制御手段とを備えている。
【００１２】
請求項３の発明は、供給側から需要側に供給される計量対象物の物理量を計量するメータを、現在使用している第１のメータから、新たに使用する第２のメータへ交換する場合におけるデータの引継ぎ方法である。ここで、第１及び第２のメータはそれぞれ、供給側から需要側に供給される計量対象物の物理量を計量する計量手段と、メータ固有の設定値、及び計量手段によって計量された計量値が書き込まれる内部記憶装置と、内部記憶装置に書き込まれている設定値及び計量値を、外部記憶装置に書き込むための第１の書込手段と、外部記憶装置に書き込まれた設定値及び計量値を、内部記憶装置に移動させて書き込むための第２の書込手段と、第２の書込手段によって設定値及び計量値が内部記憶装置に移動されて書き込まれると、供給側から需要側へと計量対象物が供給されるようにする供給制御手段とを備えている。
【００１３】
そして、第１のメータから第２のメータへ交換する場合には、第１のメータの内部記憶装置に書き込まれた設定値及び計量値を、第１のメータの第１の書込手段によって外部記憶装置に書き込み、しかる後に、第２のメータの第２の書込手段によって、外部記憶装置に書き込まれた設定値及び計量値を、第２のメータの内部記憶装置に移動させて書き込み、これによって、第２のメータの供給制御手段によって、供給側から需要側へと計量対象物が供給されるようにしている。
【００１４】
本発明は、以上のような手段を講じることにより、内部記憶装置に書き込まれているメータ固有の設定値や計量値といった必要なデータを、外部記憶装置に書き込むことができる。更に、外部記憶装置に書き込まれたこれらデータを、メータの内部記憶装置に移し替えて書き込むことができる。
【００１５】
従って、メータを交換する場合には、この機能を利用して、交換されるメータ（使用を停止するメータ）の内部記憶装置から、その設定値や計量値といったデータを、外部記憶装置に一旦書き込む。しかる後に、外部記憶装置に書き込まれているデータを、交換するメータ（新たに使用を開始するメータ）の内部記憶装置に移し替えて書き込むことによって、交換されるメータのデータと、交換するメータのデータとが同一となるので、データを確実に引き継ぐことが可能となるとともに、データの引継ぎ完了後は、直ちに計量対象物の供給を受けることが可能となる。
【発明の効果】
【００１６】
本発明によれば、現在使用しているメータから、別のメータへ交換する場合に、現在使用しているメータから別のメータへ自動的に必要なデータを引き継ぐとともに、引継ぎ完了後に直ちに別のメータによって計量対象物の供給を受けることができるデータの継続性を損なわないメータ、及びメータ交換時におけるデータの引継ぎ方法を実現することができる。
【発明を実施するための最良の形態】
【００１７】
以下に、本発明を実施するための最良の形態について図面を参照しながら説明する。
【００１８】
なお、以下の各実施の形態では、電力メータを例に説明するが、本発明でいうメータは、電力メータへの使用に限定される訳ではなく、当然のことながら、ガスメータ、水道メータ等といった他のメータへの適用も可能である。
【００１９】
（第１の実施の形態）  
図１は、本発明の第１の実施の形態に係るデータの引継ぎ方法を適用した電力メータ１０の構成例を示す概念図である。
【００２０】
すなわち、本実施の形態に係る電力メータ１０は、図１に示すように、メータ本体１の表面に、計量値を表示するための表示画面２と、例えばＩＣカードのような接触型外部記憶装置２０を挿入するための外部記憶装置挿入部３とを備えている。
【００２１】
また、図２は、メータ本体１の構成例を示す機能ブロック図である。すなわち、図２に示すように、メータ本体１は、表示画面２及び外部記憶装置挿入部３の他に、内部に無線通信部６と、内部記憶装置１３と、ＣＰＵ１４と、計量部１６と、遮断装置１７と、通信部１８とを備えている。
【００２２】
このような構成をした電力メータ１０は、電力会社等の電力供給側から電力が供給されると、計量部１６がその供給された電力を計量し、計量値をＣＰＵ１４に出力する。
【００２３】
ＣＰＵ１４は、電力メータ１０の全体制御を司る部位であって、カレンダ機能を備えている。そして、計量部１６から計量値が出力されると、この計量値に、カレンダ機能を用いてカレンダ情報を付加する。そして、このようにカレンダ情報が付加された計量値を、内部記憶装置１３に書き込んだり、表示画面２から表示させる。
【００２４】
内部記憶装置１３には、このようにして計量値が書き込まれる他に、各電力メータ１０それぞれに予め与えられた固有の設定値（ＩＤ番号、需要家番号、検定期間、メータ設置日等）が書き込まれている。
【００２５】
また、無線通信部６は、外部記憶装置挿入部３の近傍に設けられ、アンテナ１１と送受信回路１２とを備えている。
【００２６】
そして、データが全く書き込まれていない接触型外部記憶装置２０が外部記憶装置挿入部３に挿入されると、ＣＰＵ１４は、送受信回路１２に、内部記憶装置１３から計量値、及び固有の設定値を取得させ、これらデータを含む送信信号を作成させ、アンテナ１１から送信させる。接触型外部記憶装置２０は、このようにしてアンテナ１１から送信された送信信号に含まれるデータを自己に書き込む。なお、接触型外部記憶装置２０は、データが全く書き込まれていない場合には、それが外見から判別できるような工夫をしておくことが望ましい。
【００２７】
このように接触型外部記憶装置２０へのデータの書き込みを完了すると、ＣＰＵ１４は、遮断装置１７を動作させることによって、電力供給側からの電力を遮断し、需要家に供給されないようにするとともに、通信部１８から、有線による通信回線５を介して電力供給者センタ装置４へ、この電力メータ１０の使用停止通知を送信させる。
【００２８】
一方、計量値、及び電力メータ１０固有の設定値を含むデータが書き込まれた接触型外部記憶装置２０が外部記憶装置挿入部３に挿入されると、アンテナ１１は、接触型外部記憶装置２０に書き込まれたデータを含む信号を、接触型外部記憶装置２０から受信する。すると、送受信回路１２は、アンテナ１１が受信した信号から、接触型外部記憶装置２０に書き込まれたデータである設定値及び計量値を復元し、内部記憶装置１３に書き込む。なお、接触型外部記憶装置２０は、データ書き込まれている場合には、それが外見から判別できるような工夫をしておくことが望ましい。
【００２９】
このようにして、接触型外部記憶装置２０に書き込まれていたデータの内部記憶装置１３への書き込みが完了すると、無線通信部６が、接触型外部記憶装置２０に書き込まれていたデータを消去する。また、ＣＰＵ１４が、遮断装置１７を動作させることによって、電力供給側からの電力が、需要家に供給されるようにするとともに、通信部１８から、有線による通信回線５を介して電力供給者センタ装置４へ、この電力メータ１０の使用開始通知を送信させる。
【００３０】
次に、以上のように構成した本実施の形態に係るデータの引継ぎ方法を適用した電力メータ１０の動作について説明する。
【００３１】
まず、電力メータ１０を交換する場合や、需要家の転居等に伴って使用する電力メータ１０を変更する場合において、使用を停止する電力メータの停止手順について図３のフローチャートを用いて説明する。
【００３２】
電力会社等の電力供給側から需要家へ電力が供給されると、電力メータ１０の計量部１６によってその供給量が計量され、計量値がＣＰＵ１４に出力される（Ｓ１）。
【００３３】
計量部１６から出力された計量値は、ＣＰＵ１４によって、カレンダ情報が付加された後に内部記憶装置１３に書き込まれるとともに、表示画面２から表示される（Ｓ２）。なお、内部記憶装置１３には、このようにして書き込まれた計量値の他に、各電力メータ１０それぞれに与えられた固有の設定値（ＩＤ番号、需要家番号、検定期間、メータ設置日等）が予め書き込まれている。
【００３４】
さて、電力メータ１０を交換する場合や、需要家の転居等に伴って使用する電力メータ１０を変更する場合（Ｓ３：Ｙｅｓ）には、ＩＣカード等の接触型外部記憶装置２０を、外部記憶装置挿入部３に挿入する（Ｓ４）。この接触型外部記憶装置２０は、データが全く書き込まれていないものでなければならない。
【００３５】
このように、データが全く書き込まれていない接触型外部記憶装置２０が外部記憶装置挿入部３に挿入されると、内部記憶装置１３に書き込まれている計量値、及び固有の設定値が、送受信回路１２によって取得され、更にこれらデータを含む送信信号が作成され、アンテナ１１から送信される（Ｓ５）。
【００３６】
このようにして送信信号が接触型外部記憶装置２０に送られると、接触型外部記憶装置２０に、この送信信号に含まれるデータ、すなわち計量値、及び固有の設定値が書き込まれる（Ｓ６）。
【００３７】
このように接触型外部記憶装置２０へのデータの書き込みが完了すると、ＣＰＵ１４によって、電力供給側からの電力を遮断するように遮断装置１７が動作される。これによって、需要家に電力が供給されなくなる。また、このとき、通信部１８から、有線による通信回線５を介して電力供給者センタ装置４へ、この電力メータ１０の使用停止通知が送信される（Ｓ７）。
【００３８】
これによって、現在使用している電力メータ１０の使用停止処理が完了する。
【００３９】
次に、新たに使用を開始する電力メータ１０を使用するまでの手順について図４のフローチャートを用いて説明する。
【００４０】
新たに使用する電力メータ１０を使用可能な状態にするためには、ステップＳ６において、今まで使用していた電力メータの固有の設定値及び計量値が書き込まれた接触型外部記憶装置２０を、新たに使用する電力メータ１０の外部記憶装置挿入部３に挿入する（Ｓ１１）。
【００４１】
すると、接触型外部記憶装置２０に書き込まれたデータを含む信号がアンテナ１１によって受信され（Ｓ１２）、アンテナ１１が受信した信号から、送受信回路１２によって、接触型外部記憶装置２０に書き込まれたデータである設定値及び計量値が復元され、内部記憶装置１３に書き込まれる（Ｓ１３）。
【００４２】
このようにして、接触型外部記憶装置２０に書き込まれていたデータの内部記憶装置１３への書き込みが完了すると、無線通信部６によって、接触型外部記憶装置２０に書き込まれていたデータが消去される（Ｓ１４）。このように、接触型外部記憶装置２０に書き込まれていたデータが消去されることによって、接触型外部記憶装置２０に書き込まれていたデータが再利用され、別の電力メータにも同一のデータが書き込まれることが阻止される。これによって、この電力メータのみが、先に使用停止とされた電力メータの内部記憶装置１３に書き込まれているデータと同一のデータを、自己の内部記憶装置１３に書き込んでいることになる。
【００４３】
更に、ＣＰＵ１４によって、電力供給側からの電力が需要家に供給されるように遮断装置１７が動作される。また、通信部１８からは、有線による通信回線５を介して電力供給者センタ装置４へ、この電力メータ１０の使用開始通知が送信される（Ｓ１５）。
【００４４】
上述したように、本実施の形態に係る本実施の形態に係るデータの引継ぎ方法を適用した電力メータ１０によれば、上記のような作用により、接触型外部記憶装置２０を用いることによって、異なる２つの電力メータ間で設定値及び計量値を確実に引き継ぐことができる。したがって、たとえば交換、転居等に伴って、使用する電力メータを変更する場合であっても、変更後の電力メータに新たに手作業による設定をする必要がない。
【００４５】
これは、計量値等の記入作業の削減、転記ミスの防止、設定値等の入力作業の削減、及び誤設定を防ぐ事になり、事業者の運用の効率化を図ると共に、誤検針等による需要家とのトラブルを未然に防止することが可能となる。
【００４６】
また、本実施の形態に係る本実施の形態に係るデータの引継ぎ方法を適用した電力メータ１０によれば、接触型外部記憶装置２０へのデータの授受の状態にあわせて電力メータの使用停止、及び使用開始といった段階を制御することができるので、需要家と供給者との間における電力メータの使用停止、及び電力メータの使用開始に伴う連絡や通知等を自動的に行うことが可能となる。
【００４７】
なお、使用停止した電力メータのデータを記憶した接触型外部記憶装置２０から、使用開始する電力メータの内部記憶装置１３へのデータの書き込みが終了すると、接触型外部記憶装置２０に書き込まれていたデータを消去することができる。これによって、接触型外部記憶装置２０に書き込まれていたデータが再利用され、別の電力メータにも同一のデータが書き込まれることを阻止することも可能となり、不正使用等をできないようにした高い信頼性を実現することができる。
【００４８】
（第２の実施の形態）  
本発明の第２の実施の形態に係るデータの引継ぎ方法を適用した電力メータ３０は、第１の実施の形態に係るデータの引継ぎ方法を適用した電力メータ１０を一部変形させた構成としている。したがって、第１の実施の形態と同一部分については同一符号を付して示すとともに、重複説明を避ける。
【００４９】
図５は、本発明の第２の実施の形態に係るデータの引継ぎ方法を適用した電力メータ３０の構成例を示す概念図である。また、図６は、メータ本体１の構成例を示す機能ブロック図である。
【００５０】
すなわち、本実施の形態に係る電力メータ３０は、第１の実施の形態における電力メータ１０が備えていた外部記憶装置挿入部３を省略した構成としている。さらに、アンテナ１１と送受信回路１２とを備えた無線通信部６は、ＩＣタグのような非接触型外部記憶装置２１と、無線通信８によるデータの送受信が可能な構成としている。
【００５１】
そして、データが全く書き込まれていない非接触型外部記憶装置２１が、メータ本体１に近づけられると、ＣＰＵ１４は、送受信回路１２に、内部記憶装置１３から計量値及び電力メータ３０固有の設定値を取得させ、これらデータを含む送信信号を作成させ、アンテナ１１から送信させる。非接触型外部記憶装置２１は、このようにしてアンテナ１１から送信された送信信号に含まれるデータを書き込む。なお、非接触型外部記憶装置２１は、データが全く書き込まれていない場合には、それが外見から判別できるような工夫をしておくことが望ましい。
【００５２】
一方、計量値及び電力メータ３０固有の設定値を含むデータが書き込まれた非接触型外部記憶装置２１が、メータ本体１に近づけられると、アンテナ１１は、非接触型外部記憶装置２１に書き込まれたデータを含む信号を、非接触型外部記憶装置２１から受信する。すると、送受信回路１２は、アンテナ１１が受信した信号から、非接触型外部記憶装置２１に書き込まれたデータである設定値及び計量値を復元し、内部記憶装置１３に書き込む。なお、非接触型外部記憶装置２１は、データ書き込まれている場合には、それが外見から判別できるような工夫をしておくことが望ましい。
【００５３】
以上説明した構成の第２の実施の形態に係るデータの引継ぎ方法を適用した電力メータ３０によっても、第１の実施の形態に係るデータの引継ぎ方法を適用した電力メータ１０と同様の作用効果を奏することができる。
【００５４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５５】
【図１】本発明の第１の実施の形態に係るデータの引継ぎ方法を適用した電力メータ１０の構成例を示す概念図。
【図２】第１の実施の形態におけるメータ本体の構成例を示す機能ブロック図。
【図３】電力メータの交換又は変更時において、使用を停止する電力メータに対して行う停止手順を示すフローチャート。
【図４】電力メータの交換又は変更時において、新たに使用を開始する電力メータに対して行う手順を示すフローチャート。
【図５】本発明の第２の実施の形態に係るデータの引継ぎ方法を適用した電力メータ１０の構成例を示す概念図。
【図６】第２の実施の形態におけるメータ本体の構成例を示す機能ブロック図。
【符号の説明】
【００５６】
１…メータ本体、２…表示画面、３…外部記憶装置挿入部、４…電力供給者センタ装置、５…通信回線、６…無線通信部、８…無線通信、１０…電力メータ、１１…アンテナ、１２…送受信回路、１３…内部記憶装置、１４…ＣＰＵ、１６…計量部、１７…遮断装置、１８…通信部、２０…接触型外部記憶装置、２１…非接触型外部記憶装置、３０…電力メータ
【図１】
2006250807.tif 000003
【図２】
2006250807.tif 000004
【図３】
2006250807.tif 000005
【図４】
2006250807.tif 000006
【図５】
2006250807.tif 000007
【図６】
2006250807.tif 000008